(57)【要約】【課題】複数の冷凍機ユニットを利用側機器に対して並列に配管接続する冷凍装置において、オイル量が適正であるかを容易に判断することを可能とする。【解決手段】コンプレッサがそれぞれ搭載された二台の冷凍機ユニットを有する冷凍装置１において、各ユニットに設けられたオイルセパレータ１２、２２に油面確認用のサイトグラス１７を設け、一方のオイルセパレータのオイル出口と他方のコンプレッサの吸込側を連通する弁装置を備えたユニット間オイル回収用配管を有し、制御装置は、所定の指令に基づいて何れかの冷凍機ユニットの弁装置を開放し、各冷凍機ユニットのコンプレッサを運転するユニット間オイル回収モードを有する。【選択図】図２
2011202860.tif 000002
【特許請求の範囲】
【請求項１】
コンプレッサがそれぞれ搭載された少なくとも二台の冷凍機ユニットを利用側機器に対して並列に配管接続して成る冷凍装置において、
前記各冷凍機ユニットにそれぞれ設けられ、当該冷凍機ユニットのコンプレッサから吐出されたオイルを分離して当該コンプレッサに戻すためのオイルセパレータと、
各オイルセパレータに設けられ、該オイルセパレータ内の油面を確認するためのサイトグラスと、
一方の前記冷凍機ユニットのオイルセパレータのオイル出口と他方の前記冷凍機ユニットのコンプレッサの吸込側とを連通するユニット間オイル回収用配管と、
該ユニット間オイル回収用配管のオイルの流通を制御する弁装置と、
該弁装置を制御する制御装置とを備え、
該制御装置は、所定の指令に基づいて何れかの前記冷凍機ユニットの前記弁装置を開放し、前記各冷凍機ユニットのコンプレッサを運転するユニット間オイル回収モードを有することを特徴とする冷凍装置。
【請求項２】
前記制御装置は、前記弁装置を閉じて、前記各冷凍機ユニットのコンプレッサを最大能力で運転する試運転モードを有することを特徴とする請求項１に記載の冷凍装置。
【請求項３】
前記制御装置は、前記ユニット間オイル回収モードにおいて、前記各冷凍機ユニットのコンプレッサを最大能力で運転することを特徴とする請求項１又は請求項２に記載の冷凍装置。
【請求項４】
全ての前記冷凍機ユニットのサイトグラスで油面が確認できない場合、前記制御装置により何れかの前記冷凍機ユニットを前記ユニット間オイル回収モードとし、その後、当該冷凍機ユニットのサイトグラスで油面が確認できた場合、ユニット間オイル回収モードを終了すると共に、確認できない場合、前記冷凍機ユニットにオイルを追加することを特徴とする請求項１乃至請求項３のうちの何れかに記載の冷凍装置のオイル量管理方法。
【請求項５】
前記ユニット間オイル回収モードの実行前に前記制御装置により前記弁装置を閉じて、前記各冷凍機ユニットのコンプレッサを最大能力で運転する前記試運転モードを実行し、全ての前記冷凍機ユニットのサイトグラスで油面を確認することを特徴とする請求項４に記載の冷凍装置のオイル量管理方法。
【発明の詳細な説明】
【技術分野】
【０００１】
本発明は、複数台の冷凍機ユニットを利用側機器に対して並列に配管接続して成る冷凍装置、特に、冷凍機ユニットのオイル量管理に関する。
【背景技術】
【０００２】
一般に、複数台のショーケース等の利用側機器を並列に配管接続すると共に、各ショーケースにつながるユニット間配管に対し、コンプレッサ及び熱交換器等を内蔵する複数台の冷凍機ユニットを並列に接続して成る所謂マルチ冷凍機が知られている（例えば、特許文献１参照）。
【０００３】
各冷凍ユニットは、コンプレッサ、凝縮器等を備え、各利用側機器には、絞り手段と蒸発器等を備え、これらを配管接続することで冷凍サイクルが構成される。コンプレッサにて圧縮された冷媒は、凝縮器にて放熱し、絞り手段にて減圧された後、蒸発器にて冷媒を蒸発させて、このときの冷媒の蒸発により周囲の空気を冷却する。
【先行技術文献】
【特許文献】
【０００４】
【特許文献１】特開２００２−２０６８１２号公報
【発明の概要】
【発明が解決しようとする課題】
【０００５】
一方、冷凍ユニットは、コンプレッサ等の運転において循環剤としてのオイルが必要なため、冷媒配管内には冷媒と共に所定量のオイルが封入されている。このオイル量は、適正量よりも少ないと、コンプレッサの摺動部の潤滑やシール性などが低下し、コンプレッサの機械的な劣化を招来する。他方、適正量よりも多い場合には、利用側機器に多くのオイルが流れ込んでしまい、冷却能力の低下を招く。
【０００６】
このオイルの適正量は、利用側機器の台数やこれらと各冷凍ユニットとを接続する冷媒配管の長さによって変動する。そのため、従来は、予め利用側機器の設置台数や冷媒配管の長さを考慮して現場に応じたオイルの適正量を算出して、当該量のオイルを冷媒配管内に封入する。
【０００７】
しかしながら、その後、冷媒漏れ等が生じた場合、冷媒と同様にオイル漏れも生じることとなるため、冷媒の再封入時には、漏れ出たオイルを適正量にまで戻す必要がある。また、利用側機器の設置台数や配管長が変更になった場合には、オイルの適正量も変更するため、当該設置状況の変更に応じてオイルの補充、抜き取り作業を行う必要がある。
【０００８】
この場合、冷凍ユニットや冷媒配管に設けられたオイル量を確認するためのサイトグラスを用いて、目視によりオイル量が適正であるか否かを判断していた。しかしながら、上述したようなマルチ冷凍機では、ある一つの冷凍機ユニットにオイルが過剰に溜まってしまい、他の冷凍機ユニットでは、オイル不足となった状況では、冷凍装置全体としてオイルが適正量であるかの判断が困難であった。
【０００９】
本発明は従来の技術的課題を解決するためになされたものであり、複数の冷凍機ユニットを利用側機器に対して並列に配管接続するものであって、オイル量が適正であるかを容易に判断することを可能とする冷凍装置を提供する。
【課題を解決するための手段】
【００１０】
上記課題を解決するために、本発明の冷凍装置は、コンプレッサがそれぞれ搭載された少なくとも二台の冷凍機ユニットを利用側機器に対して並列に配管接続して成るものであって、各冷凍機ユニットにそれぞれ設けられ、当該冷凍機ユニットのコンプレッサから吐出されたオイルを分離して当該コンプレッサに戻すためのオイルセパレータと、各オイルセパレータに設けられ、このオイルセパレータ内の油面を確認するためのサイトグラスと、一方の冷凍機ユニットのオイルセパレータのオイル出口と他方の冷凍機ユニットのコンプレッサの吸込側とを連通するユニット間オイル回収用配管と、このユニット間オイル回収用配管のオイルの流通を制御する弁装置と、この弁装置を制御する制御装置とを備え、この制御装置は、所定の指令に基づいて何れかの冷凍機ユニットの弁装置を開放し、各冷凍機ユニットのコンプレッサを運転するユニット間オイル回収モードを有することを特徴とする。
【００１１】
請求項２の発明は、上記において、制御装置は、弁装置を閉じて、各冷凍機ユニットのコンプレッサを最大能力で運転する試運転モードを有することを特徴とする。
【００１２】
請求項３の発明は、上記各発明において、制御装置は、ユニット間オイル回収モードにおいて、各冷凍機ユニットのコンプレッサを最大能力で運転することを特徴とする。
【００１３】
請求項４の発明は、上記各発明において、全ての冷凍機ユニットのサイトグラスで油面が確認できない場合、制御装置により何れかの冷凍機ユニットをユニット間オイル回収モードとし、その後、当該冷凍機ユニットのサイトグラスで油面が確認できた場合、ユニット間オイル回収モードを終了すると共に、確認できない場合、冷凍機ユニットにオイルを追加することを特徴とする。
【００１４】
請求項５の発明は、上記発明において、ユニット間オイル回収モードの実行前に制御装置により弁装置を閉じて、各冷凍機ユニットのコンプレッサを最大能力で運転する試運転モードを実行し、全ての冷凍機ユニットのサイトグラスで油面を確認することを特徴とする。
【発明の効果】
【００１５】
本発明によれば、コンプレッサがそれぞれ搭載された少なくとも二台の冷凍機ユニットを利用側機器に対して並列に配管接続して成る冷凍装置において、各冷凍機ユニットにそれぞれ設けられ、当該冷凍機ユニットのコンプレッサから吐出されたオイルを分離して当該コンプレッサに戻すためのオイルセパレータと、各オイルセパレータに設けられ、このオイルセパレータ内の油面を確認するためのサイトグラスと、一方の冷凍機ユニットのオイルセパレータのオイル出口と他方の冷凍機ユニットのコンプレッサの吸込側とを連通するユニット間オイル回収用配管と、このユニット間オイル回収用配管のオイルの流通を制御する弁装置と、この弁装置を制御する制御装置とを備え、この制御装置は、所定の指令に基づいて何れかの冷凍機ユニットの弁装置を開放し、各冷凍機ユニットのコンプレッサを運転するユニット間オイル回収モードを有することにより、ユニット間オイル回収モードを実行することで、弁装置が開放されたユニット間オイル回収用配管を介して、何れかの冷凍機ユニットのオイルセパレータにオイルを回収することができる。
【００１６】
これにより、オイルが回収されたオイルセパレータのサイトグラスによってオイルセパレータ内の油面を確認することによって、冷凍装置全体におけるオイル量が適正量であるか否かを容易に判断することが可能となる。
【００１７】
そのため、冷媒配管や、何れかの冷凍機ユニットにオイルが溜まってしまった場合であっても、効率的にオイルを一つのオイルセパレータに回収して、そのオイル量を確認でき、適正量の判別が容易となる。
【００１８】
また、請求項２の発明は、上記発明において、制御装置は、弁装置を閉じて、各冷凍機ユニットのコンプレッサを最大能力で運転する試運転モードを有するので、上記ユニット間オイル回収モードの実行前に試運転モードを実行することで、迅速に、冷媒配管や、何れかの冷凍機ユニットに溜まったオイルをオイルセパレータに回収して、そのオイル量を確認でき、適正量の判別が容易となる。
【００１９】
また、請求項３の発明によれば、上記各発明に加えて、制御装置は、ユニット間オイル回収モードにおいて、各冷凍機ユニットのコンプレッサを最大能力で運転することにより、効率的に冷媒配管等に溜まったオイルをオイルセパレータに回収することが可能となる。
【００２０】
請求項４の発明によれば、上記各発明において、全ての冷凍機ユニットのサイトグラスで油面が確認できない場合、制御装置により何れかの冷凍機ユニットをユニット間オイル回収モードとし、その後、当該冷凍機ユニットのサイトグラスで油面が確認できた場合、ユニット間オイル回収モードを終了すると共に、確認できない場合、冷凍機ユニットにオイルを追加することにより、冷媒配管や、何れかの冷凍機ユニットにオイルが溜まってしまい、いずれのオイルセパレータのサイトグラスによっても油面を確認できない場合であっても、ユニット間オイル回収モードを行うことで、効率的にオイルを一つのオイルセパレータに回収して、そのオイル量を確認でき、適正量の判別が容易となる。
【００２１】
そして、回収したオイルセパレータのサイトグラスにて油面を確認できない場合には、冷凍装置におけるオイル量が不足していると判断して、円滑に冷凍機ユニットへのオイル追加を行い、オイル量の適正化を実現することができる。これにより、各冷凍機ユニットのコンプレッサの円滑な運転を実現することができる。
【００２２】
また、請求項５の発明によれば、上記発明において、ユニット間オイル回収モードの実行前に制御装置により弁装置を閉じて、各冷凍機ユニットのコンプレッサを最大能力で運転する試運転モードを実行し、全ての冷凍機ユニットのサイトグラスで油面を確認することにより、ユニット間オイル回収モードの実行前に、試運転モードの実行によって迅速に、冷媒配管や、何れかの冷凍機ユニットに溜まったオイルをオイルセパレータに回収して、その時点においてオイル量を確認でき、適正量の判別が容易となる。
【００２３】
当該試運転モードの実行によっても、何れかの冷凍機ユニットのオイルセパレータにおいて油面を確認できない場合には、更に、何れかのオイルセパレータにオイルを回収して適正量であるか否かを判断するユニット間オイル回収モードを実行することにより、より確実なオイル量の判別ができる。これにより、確実なオイル量の管理が可能となる。
【図面の簡単な説明】
【００２４】
【図１】本発明を適用した実施例の冷凍装置の冷媒回路図である。
【図２】各冷凍機ユニットの冷媒回路図である。
【図３】オイルセパレータの概略構成図である。
【図４】制御装置の電気ブロック図である。
【図５】オイル量管理方法のフローチャートである。
【発明を実施するための形態】
【００２５】
以下、図面に基づき本発明の実施形態を詳述する。図１は本発明を適用した実施例の冷凍装置１の冷媒回路図、図２は冷凍装置１を構成する各冷凍機ユニット１０、２０の冷媒回路図である。実施例の冷凍装置１は例えばスーパーマーケット等の店舗に設置されている冷却貯蔵設備としての複数台のショーケース（利用側機器。冷蔵ケースの庫内や冷凍ケースの庫内）の冷却を実現するものである。
【００２６】
冷凍装置１は、複数の冷凍機ユニット、本実施例では、一例として冷凍機ユニット１０、２０と、店舗内に設置された各ショーケースとを配管接続する冷媒配管３とから冷媒回路２が構成される。冷凍機ユニット１０、２０は、それぞれ各ショーケース（利用側機器）に対して並列に配管接続して構成される。
【００２７】
各冷凍機ユニット１０、２０は、コンプレッサ１１、２１をそれぞれ搭載されている。冷凍機ユニット１０を構成するコンプレッサ１１は、本実施例では、インバータ制御等の能力可変型のコンプレッサにより構成されている。尚、これに限定されるものではなく、例えば、インバータ制御のコンプレッサと、定速運転のコンプレッサとを並列接続したものであっても良い。
【００２８】
コンプレッサ１１の吐出側配管１６（冷凍機ユニット２０の場合吐出側配管２６）には、オイルセパレータ１２（冷凍機ユニット２０の場合オイルセパレータ２２）が接続される。オイルセパレータ１２は、冷凍機ユニット１０のコンプレッサ１１から吐出された高圧の吐出冷媒中に含まれるオイルを冷媒と分離して捕捉するものであり、このオイルセパレータ１２のオイル出口１２Ａ（冷凍機ユニット２０の場合オイル出口２２Ａ）には、捕捉したオイルをコンプレッサ１１に戻すオイル戻し回路１３（冷凍機ユニット２０の場合オイル戻し回路２３）が接続されている。
【００２９】
そして、このオイルセパレータ１２の吐出ガス冷媒出口１２Ｂ（冷凍機ユニット２０の場合吐出ガス冷媒出口２２Ｂ）には、冷媒配管１４（冷凍機ユニット２０の場合冷媒配管２４）を介して凝縮器１５（冷凍機ユニット２０の場合凝縮器２５）が接続されている。そして、この凝縮器１５の下流側には、他方の冷凍機ユニット２０の凝縮器２５の下流側と合流し、ショーケース等の利用側機器に接続される高圧側配管３Ａが接続されている。
【００３０】
そして、高圧側配管３Ａが接続されるショーケース等の利用側機器には、これらの庫内をそれぞれ冷却する複数の蒸発器３０・・が設けられている。各蒸発器３０は並列に接続されており、各蒸発器３０の冷媒流入側には、液電磁弁３１と、減圧装置としての膨張弁３２が順次接続されている。そして、各蒸発器３０の冷媒流出側は、下流側にて合流した後、各冷凍機ユニット１０、２０に接続される低圧側配管３Ｂが接続されている。低圧側配管３Ｂは、各冷凍機ユニット１０、２０に対応して分流し、それぞれ吸込側配管１９、２９を介してコンプレッサ１１、２１の吸込側に接続される。
【００３１】
かかる構成により、各冷凍機ユニット１０、２０のコンプレッサ１１、２１が運転されると、各コンプレッサ１１、２１の吐出側から吐出された高温高圧のガス冷媒は、オイルセパレータ１２、２２、冷媒配管１４、２４を介して凝縮器１５、２５に流入してそこで放熱する。凝縮液化された冷媒は、高圧側配管３Ａ内に流入して、他方の冷凍機ユニットから流出された冷媒と合流し、ショーケース等の利用側機器側の各液電磁弁３１を経てそれぞれに対応する膨張弁３２に至り、そこで減圧される。膨張弁３２にて減圧された冷媒は、ショーケースのダクト内に設置されたそれぞれの蒸発器３０に流入して蒸発し、周囲から熱を奪って冷却作用を発揮する。
【００３２】
そして、蒸発器３０と熱交換した冷気を図示しない送風機にて庫内に循環することによって、ショーケースの庫内を所定の温度に冷却する。これら蒸発器３０から出た冷媒は、低圧側配管３Ｂ、吸込側配管１９、２９を介して各冷凍機ユニット１０、２０のコンプレッサ１１、２１に帰還する。
【００３３】
各液電磁弁３１はショーケースの庫内温度に基づいて開閉され、各蒸発器３０への冷媒供給を制御する。これにより、当該冷凍装置１に接続されている複数台のショーケース全ての液電磁弁３１が閉じると各冷凍機ユニット１０、２０のコンプレッサ１１、２１の運転を停止し、何れかの液電磁弁が開くと起動する制御がなされるものである。
【００３４】
次に、本実施例におけるオイルセパレータ１２（又は２２）について詳述する。図３はオイルセパレータ１２の概略図を示している。ここでは、オイルセパレータ１２を例に挙げて説明する。オイルセパレータ１２は、所定の容量を有する容器によって構成されており、上部に接続された吐出側配管１６からコンプレッサ１１により吐出されたガス冷媒が流入する。
【００３５】
そして、オイルセパレータ１２の下部には、内部にて冷媒と分離されたオイルの出口１２Ａを介してオイル戻し回路１３が接続される。また、オイルセパレータ１２には、内部にてオイルと分離された冷媒の出口１２Ｂを介して冷媒配管１４が接続される。この冷媒配管１４の上端１４Ａはオイルセパレータ１２内において所定の高さ位置にて開口する。
【００３６】
このオイルセパレータ１２の側面には、外方から当該オイルセパレータ１２内の油面を確認するためのサイトグラス（適正油面確認用サイトグラス）１７が設けられている。当該サイトグラス１７は、後述する試運転モードによってオイルセパレータ１２においるの回収がされた状態で、当該冷凍装置１内に封入されたオイルの量が、適正量のオイル量である場合に、必要な油面を確認可能とする位置に設けられているものとする。
【００３７】
また、本実施例では、このオイルセパレータ１２の側面には、サイトグラス１７の上方に位置して過剰な油面を確認するための上部サイトグラス１８が設けられている。この上部サイトグラス１８は、冷媒配管１４の上端１４Ａよりも高い位置、若しくは、上端１４Ａと略同等の高さ位置の油面を確認可能とする位置に設けられている。
【００３８】
更に、本実施例では、オイルセパレータ１２からコンプレッサ１１にオイルを戻すオイル戻し回路１３には、他方の冷凍機ユニット２０のコンプレッサ２１の吸込側配管２９とを接続するユニット間オイル回収用配管４０が設けられている。これにより、一方の冷凍機ユニット１０のオイルセパレータ１２のオイル出口１２Ａと、他方の冷凍機ユニット２０のコンプレッサ２１の吸込側とがユニット間オイル回収用配管４０により連通される。
【００３９】
このユニット間オイル回収用配管４０には、一方の冷凍機ユニット１０側に位置する弁装置（電磁開閉弁）４１と、他方の冷凍機ユニット２０側に位置する弁装置（電磁開閉弁）５２が介設されている。
【００４０】
同様に、他方の冷凍機ユニット２０のオイルセパレータ２２からコンプレッサ２１にオイルを戻すオイル戻し回路２３には、一方の冷凍機ユニット１０のコンプレッサ１１の吸込側配管１９とを接続するユニット間オイル回収用配管５０が設けられている。これにより、他方の冷凍機ユニット２０のオイルセパレータ２２のオイル出口２２Ａと、一方の冷凍機ユニット１０のコンプレッサ１１の吸込側とがユニット間オイル回収用配管５０により連通される。
【００４１】
このユニット間オイル回収用配管５０には、他方の冷凍機ユニット２０側に位置する弁装置（電磁開閉弁）５１と、一方の冷凍機ユニット１０側に位置する弁装置（電磁開閉弁）４２が介設されている。
【００４２】
また、各冷凍機ユニット１０、２０のオイル戻し回路１３、２３には、手動にて開閉されるオイル封入口３４及びオイル抜き口３５がそれぞれ設けられている。
【００４３】
図４は本実施例における冷凍装置１の制御装置Ｃの電気ブロック図を示している。本実施例における制御装置Ｃは、汎用のマイクロコンピュータにより構成されており、その入力側には、各種センサ３６や、各冷凍機ユニット１０、２０の運転スイッチ４４、５４、各種設定や運転モードの切換を行うコントロールパネル３８などが接続されている。また、出力側には、各冷凍機ユニット１０、２０のコンプレッサ１１、２１、上述した如き弁装置４１、４２、５１、５２、その他液電磁弁３１・・や膨張弁３２・・、図示しない送風機などが接続されている。
【００４４】
以上の構成により、図５のフローチャートを参照して本発明にかかる冷凍装置１のオイル量管理方法について説明する。先ず始めに、ステップＳ１において、作業者は、全冷凍機ユニット１０、２０のオイルセパレータ１２、２２の適正油面確認用サイトグラス１７を確認し、何れかのオイルセパレータ１２、２２にて油面が確認できたか否かを判断する。
【００４５】
ここで、何れかのオイルセパレータ１２、２２にて油面が確認できた場合には、冷凍装置１全体、即ち、各冷凍機ユニット１０、２０のオイル量が適正量を有する。
【００４６】
このとき、何れかのオイルセパレータ１２、２２の上部サイトグラス１８にて油面が確認できた場合には、冷凍装置１全体、即ち、各冷凍機ユニット１０、２０のオイル量が過剰である。そのため、上部サイトグラス１８にて過剰な油面が確認されたオイルセパレータに接続されるオイル戻し回路のオイル抜き口３５から過剰なオイルを抜き取る。尚、このとき、上部サイトグラス１８にて過剰な油面を確認しながらオイルを抜き取ることにより、オイル量を適正量とすることが可能となる。
【００４７】
上記ステップＳ１において、いずれのオイルセパレータ１２、２２のサイトグラス１７より必要な油面が確認できない場合には、ステップＳ２に進み、作業者は全冷凍機ユニット１０、２０の運転スイッチ４４、５４をＯＮとし、ステップＳ３に進み、コントロールパネル３８を操作して、各冷凍機ユニット１０、２０の試運転モードを設定する。
【００４８】
これにより、制御装置Ｃは、試運転モードにおいて、各弁装置４１、４２、５１、５２を閉じて、各コンプレッサ１１、２１を最大能力で運転する。この試運転モードにおいて各冷凍機ユニット１０、２０のコンプレッサ１１、２１は、最大能力で運転されることで、コンプレッサ１１、２１の吐出側配管１６、２６から高温ガス冷媒によって、冷媒配管内等に溜まったオイルが迅速に回収され、オイルセパレータ１２、２２内において、当該オイルが冷媒と分離される。そして、かかるオイルはオイル戻し回路１３、２３を介してコンプレッサ１１、２１に帰還される。
【００４９】
その後、作業者は、ステップＳ４に進み、試運転モードを実行してから所定時間、冷媒回路内に貯留したオイルを回収するのに十分な時間が経過したか否かを判断し、所定時間が経過した場合（所定時間待機した後）、ステップＳ５に進み、各冷凍機ユニット１０、２０のオイルセパレータ１２、２２の適正油面確認用サイトグラス１７、１７より当該オイルセパレータ１２、２２内の油面の有無を確認する。
【００５０】
何れかのサイトグラス１７にて必要な油面を確認できた場合には、冷凍装置１全体、即ち、各冷凍機ユニット１０、２０のオイル量が適正量を有するため、ステップＳ６に進み、作業者は、コントロールパネル３８を操作して試運転モードを終了する。
【００５１】
他方、ステップＳ５において、全ての冷凍機ユニット１０、２０のサイトグラス１７、１７で油面が確認できない場合には、作業者は、ステップＳ７に進み、コントロールパネル３８を操作して、いずれか一台の冷凍機ユニット１０又は２０をユニット間オイル回収モードに設定する。
【００５２】
一方の冷凍機ユニット１０のユニット間オイル回収モードを設定した場合、制御装置Ｃは、弁装置４１と５２を閉鎖し、弁装置４２と５１とを開放し、各冷凍機ユニット１０、２０のコンプレッサ１１、２１を最大能力で運転する。このユニット間オイル回収モードにおいて各冷凍機ユニット１０、２０のコンプレッサ１１、２１は、最大能力で運転されることで、コンプレッサ１１、２１の吐出側配管１６、２６から高温ガス冷媒によって、冷媒配管内等に溜まったオイルが迅速に回収され、オイルセパレータ１２、２２内において、当該オイルが冷媒と分離される。そして、かかるオイルはオイル戻し回路１３、２３を介してコンプレッサ１１、２１に帰還される。
【００５３】
また、他方の冷凍機ユニット２０のオイル戻し回路２３に連通して接続されたユニット間オイル回収用配管５０の弁装置５１、４２が開放されているため、当該冷凍機ユニット２０における過剰なオイルは、当該ユニット間オイル回収用配管５０を介して、一方の冷凍機ユニット１０のコンプレッサ１１の吸込側に吸い込まれる。
【００５４】
これにより、一方の冷凍機ユニット１０のオイルセパレータ１２内に、冷凍装置１のオイルが回収されることとなる。
【００５５】
その後、作業者は、ステップＳ８に進み、ユニット間オイル回収モードを実行してから所定時間、冷媒回路内に貯留したオイルを回収するのに十分な時間が経過したか否かを判断し、所定時間が経過した場合（所定時間待機した後）、ステップＳ９に進み、当該ユニット間オイル回収モードを実行している冷凍機ユニット、この場合、冷凍機ユニット１０のオイルセパレータ１２の適正油面確認用サイトグラス１７より当該オイルセパレータ１２内の油面の有無を確認する。
【００５６】
オイルセパレータ１２のサイトグラス１７にて必要な油面を確認できた場合には、冷凍装置１全体、即ち、各冷凍機ユニット１０、２０のオイル量が適正量を有するため、ステップＳ６に進み、作業者は、コントロールパネル３８を操作してユニット間オイル回収モードを終了する。
【００５７】
他方、ステップＳ９において、冷凍機ユニット１０のサイトグラス１７で油面が確認できない場合には、作業者は、ステップＳ１０に進み、当該冷凍機ユニット１０のオイルセパレータ１２に接続されるオイル戻し回路１３のオイル封入口３４からオイルを追加する。そして、当該オイルセパレータ１２のサイトグラス１７にて油面が確認できた時点でオイルの追加を止め（ステップＳ９）、その後、ステップＳ６に進み、コントロールパネル３８を操作して、冷凍機ユニット１０のユニット間オイル回収モードを終了する。この際、制御装置Ｃは、開放していた弁装置４２、５１を閉じる。
【００５８】
尚、ここでは、一方の冷凍機ユニット１０をユニット間オイル回収モードに設定するため、弁装置４１、５２を閉鎖し、弁装置４２、５１を開放して各コンプレッサ１１、２１を運転して、当該冷凍機ユニット１０のオイルセパレータ１２にオイルを回収しているが、他方の冷凍機ユニット２０をユニット間オイル回収モードに設定した場合、弁装置４１、５２を開放し、弁装置４２、５１を閉鎖して各コンプレッサ１１、２１を運転して、当該冷凍機ユニット２０のオイルセパレータ２２にオイルを回収する。
【００５９】
このように、本実施例では、ユニット間オイル回収モードを実行することで、弁装置が開放されたユニット間オイル回収用配管を介して、何れかの冷凍機ユニットのオイルセパレータにオイルを回収することができる。そのため、オイルが回収されたオイルセパレータ１２又は２２のサイトグラス１７によってオイルセパレータ内の油面を確認することによって、冷凍装置１全体におけるオイル量が適正量であるか否かを容易に判断することが可能となる。
【００６０】
これにより、冷媒配管や、何れかの冷凍機ユニットにオイルが溜まってしまった場合であっても、効率的にオイルを一つのオイルセパレータに回収して、そのオイル量を確認でき、適正量の判別が容易となる。
【００６１】
特に、ユニット間オイル回収モードでは、各冷凍機ユニット１０、２０のコンプレッサ１１、２１を最大能力で運転するため、効率的に冷媒配管等に溜まったオイルをオイルセパレータに回収することが可能となる。
【００６２】
そして、回収したオイルセパレータのサイトグラスにて油面を確認できない場合には、冷凍装置におけるオイル量が不足していると判断して、円滑に冷凍機ユニットへのオイル追加を行い、オイル量の適正化を実現することができる。これにより、各冷凍機ユニットのコンプレッサの円滑な運転を実現することができる。
【００６３】
尚、本実施例では、当該ユニット間オイル回収モードの実行前に、ユニット間オイル回収用配管４０、５０に設けられた全ての弁装置４１、４２、５１、５２を閉じて、各冷凍機ユニット１０、２０のコンプレッサ１１、２１を最大能力で運転する試運転モードを実行することにより、迅速に、冷媒配管や、何れかの冷凍機ユニットに溜まったオイルをオイルセパレータに回収して、その時点においてオイル量を確認でき、適正量の判別が容易となる。
【００６４】
当該試運転モードの実行によっても、何れかの冷凍機ユニットのオイルセパレータにおいて油面を確認できない場合には、更に、何れかのオイルセパレータにオイルを回収して適正量であるか否かを判断するユニット間オイル回収モードを実行することにより、より確実なオイル量の判別ができる。これにより、確実なオイル量の管理が可能となる。
【００６５】
そのため、冷媒漏れの故障などが発生した場合であっても、メンテナンス作業時に、上述したような試運転モードやユニット間オイル回収モードを実行することにより、容易に冷凍装置１全体におけるオイル量の適正化を行うことができる。また、設置後、利用側機器の設置台数の変更や冷媒配管との長さの変更があった場合においても、このように試運転モードやユニット間オイル回収モードを実行することで、容易にオイル量を確認することが可能となり、適正量の維持を図ることができる。
【００６６】
上述したように、本実施例では、二台の冷凍機ユニットが設けられた冷凍装置を例に挙げて説明しているが、これに限定されるものではなく、三台や四台等、三台以上の冷凍機ユニットを設けた冷凍装置においても本願発明を適用でき、同様の効果を奏するものである。
【符号の説明】
【００６７】
１    冷凍装置
２    冷媒回路
３    冷媒配管
１０、２０    冷凍機ユニット
１１、２１    コンプレッサ
１２、２２    オイルセパレータ
１２Ａ、２２Ａ  オイル出口
１２Ｂ、２２Ｂ  吐出ガス冷媒出口
１３、２３    オイル戻し回路
１４、２４    冷媒配管
１５、２５    凝縮器
１６、２６    吐出側配管
１７    サイトグラス（適正油面確認用サイトグラス）
１８    上部サイトグラス
１９、２９  吸込側配管
３０    蒸発器
３２    膨張弁
３４    オイル封入口
３５    オイル抜き口
３８    コントロールパネル
４０、５０  ユニット間オイル回収用配管
４１、４２、５１、５２  弁装置
４４、５４    運転スイッチ
【図１】
2011202860.tif 000003
【図２】
2011202860.tif 000004
【図３】
2011202860.tif 000005
【図４】
2011202860.tif 000006
【図５】
2011202860.tif 000007